(57)【特許請求の範囲】
【請求項１】
まつげエクステの評価を行う装置であって、
画像データを取得する画像データ取得部と、
前記画像データより前記まつげエクステの曲線データを抽出する画像抽出部と、
前記曲線データにより特定される曲線を円弧と仮定したときの当該円弧を一部に有する円の半径を算出する数値演算部と、
前記半径に基づいて前記まつげエクステを評価する評価部と、を備え、
前記数値演算部は、前記円弧を一部とする円の中心とまつげエクステ部分の各画素がなす複数の線分のうち任意の２本の線分を選択したときの円弧の中心角の最大値を前記円弧の中心角として算出し、前記円弧の長さ、前記円弧の太さを更に算出する
まつげエクステ評価装置。
【請求項２】
前記画像抽出部は、前記画像データからまつげエクステ部分の画素を抽出し、当該画素を２次曲線で近似することで得られた座標データを前記曲線データとし、
前記数値演算部は、前記画素と実長との比率に基づいて、前記円弧の長さ、前記円弧の半径、前記円弧の太さの少なくともいずれかを更に算出する
請求項１に記載のまつげエクステ評価装置。
【請求項３】
前記評価とは、まつげエクステを、前記半径に基づいて、Ｊカール、Ｃカール、ＣＣカール、及びＤカールのいずれかに分類することである
請求項１又は請求項２に記載のまつげエクステ評価装置。
【請求項４】
まつげエクステの評価を行う方法であって、
画像データを取得する第１のステップと、
前記画像データより前記まつげエクステの曲線データを抽出する第２のステップと、
前記曲線データにより特定される曲線を円弧と仮定したときの当該円弧を一部に含む円の半径を算出すると共に、前記円弧を一部とする円の中心とまつげエクステ部分の各画素がなす複数の線分のうち任意の２本の線分を選択したときの円弧の中心角の最大値を前記円弧の中心角として算出し、前記円弧の長さ、前記円弧の太さを算出する第３のステップと、
前記半径に基づいて前記まつげエクステを評価する第４のステップと、を有する
まつげエクステ評価方法。
【請求項５】
前記第２のステップでは、前記画像データからまつげエクステ部分の画素を抽出し、当該画素を２次曲線で近似することで得られた座標データを前記曲線データとし、
前記第３のステップでは、前記画素と実長との比率に基づいて、前記円弧の長さ、前記円弧の半径、前記円弧の太さの少なくともいずれかを更に算出する
請求項４に記載のまつげエクステ評価方法。
【請求項６】
前記評価とは、まつげエクステを、前記半径に基づいて、Ｊカール、Ｃカール、ＣＣカール、及びＤカールのいずれかに分類することである
請求項４又は請求項５に記載のまつげエクステ評価方法。
【請求項７】
コンピュータを、
画像データを取得する画像データ取得部と、
前記画像データより前記まつげエクステの曲線データを抽出する画像抽出部と、
前記曲線データにより特定される曲線を円弧と仮定したときの当該円弧を一部に含む円の半径を算出する数値演算部と、
前記半径に基づいて前記まつげエクステを評価する評価部として機能させ、
前記数値演算部は、前記円弧を一部とする円の中心とまつげエクステ部分の各画素がなす複数の線分のうち任意の２本の線分を選択したときの円弧の中心角の最大値を前記円弧の中心角として算出し、前記円弧の長さ、前記円弧の太さを更に算出する
プログラム。
【請求項８】
前記画像抽出部は、前記画像データからまつげエクステ部分の画素を抽出し、当該画素を２次曲線で近似することで得られた座標データを前記曲線データとし、
前記数値演算部は、前記画素と実長との比率に基づいて、前記円弧の長さ、前記円弧の半径、前記円弧の太さの少なくともいずれかを更に算出する
請求項７に記載のプログラム。
【請求項９】
前記評価とは、まつげエクステを、前記半径に基づいて、Ｊカール、Ｃカール、ＣＣカール、及びＤカールのいずれかに分類することである
請求項７又は請求項８に記載のプログラム。
【請求項１０】
まつげエクステの評価を行うシステムであって、
前記まつげエクステの画像を撮像する撮像部と、
前記撮像部からの画像データを取得する画像データ取得部と、
前記画像データより前記まつげエクステの曲線データを抽出する画像抽出部と、
前記曲線データにより特定される曲線を円弧と仮定したときの当該円弧を一部に含む円の半径を算出する数値演算部と、
前記半径に基づいて前記まつげエクステを評価する評価部と、を備え、
前記数値演算部は、前記円弧を一部とする円の中心とまつげエクステ部分の各画素がなす複数の線分のうち任意の２本の線分を選択したときの円弧の中心角の最大値を前記円弧の中心角として算出し、前記円弧の長さ、前記円弧の太さを更に算出する
まつげエクステ評価システム。
【請求項１１】
前記画像抽出部は、前記画像データからまつげエクステ部分の画素を抽出し、当該画素を２次曲線で近似することで得られた座標データを前記曲線データとし、
前記数値演算部は、前記画素と実長との比率に基づいて、前記円弧の長さ、前記円弧の半径、前記円弧の太さの少なくともいずれかを更に算出する
請求項１０に記載のまつげエクステ評価システム。
【請求項１２】
前記評価とは、まつげエクステを、前記半径に基づいて、Ｊカール、Ｃカール、ＣＣカール、及びＤカールのいずれかに分類することである
請求項１０又は請求項１１に記載のまつげエクステ評価システム。
【発明の詳細な説明】
【技術分野】
【０００１】
本発明は、まつげエクステのカール等を適正に評価する、まつげエクステ評価装置、まつげエクステ評価方法、まつげエクステ評価システム、及びプログラムに関する。
【背景技術】
【０００２】
従来、まつげエクステを分類する１つの指標として、カールの度合いがある。カールについては、一般的には、カールの度合いの弱いものから順に、Ｊカール、Ｃカール、ＣＣカール、Ｄカールと称されることがある。しかしながら、統一された基準に従って分類されているわけではなく、メーカーごとに同じ呼称でもカールの度合いが異なっていることが多い。それは、カールの角度を正確に測定することがなされていなかったことに起因する。
【０００３】
今日では、まつげエクステも多種多様なものが市場に出回っているが、ユーザが自己に好適なまつげエクステを選択するにあたり、メーカーごとに同じカールの呼称でも角度が若干異なるといったようなばらつきをなくして、適正に分類されたカールの呼称により商品を正確に特定できるようにすることが嘱望されている。
【０００４】
なお、まつ毛の外観をシミュレーションする装置として、ユーザにより変更され得るシミュレーション・パラメータの１の値に依存して、一房のまつ毛の３Ｄイメージを作成する装置がある（例えば、特許文献１参照）。
【先行技術文献】
【特許文献】
【０００５】
【特許文献１】特開２００６−７９６１９号公報
【発明の概要】
【発明が解決しようとする課題】
【０００６】
しかしながら、特許文献１に開示されたものは、まつ毛の化粧的処理を想定したものにすぎず、まつげエクステ自体の評価を行うものではない。従って、まつげエクステをカールにより分類することはできない。
【０００７】
前述したようにメーカーごとに同じ呼称でもカールの度合いが異なっていると、多種多様なまつげエクステを取り扱うエステサロンなどの業者は、顧客に対して適正な分類の下で好適なまつげエクステを選択することができず、その実現が嘱望されている。また、製造工場等においても、所定のカールのまつげエクステを製造するにあたり、製造物が当該カールの基準を満たしているか否かの判断をすることは、市場に散見されるカールの表記と実体のばらつきを抑える上でも、重要なことである。
【０００８】
本発明は、このような課題に鑑みてなされたものであり、まつげエクステを円弧と仮定した場合の当該円弧を一部に含む円の半径を正確に測定し、当該半径に基づいてカール別にまつげエクステを適正に分類するための評価を可能とすることを目的とする。
【課題を解決するための手段】
【０００９】
上記課題を解決するために、本発明の第１の態様に係るまつげエクステ評価装置は、まつげエクステの評価を行う装置であって、画像データを取得する画像データ取得部と、前記画像データより前記まつげエクステの曲線データを抽出する画像抽出部と、前記曲線データにより特定される曲線を円弧と仮定したときの当該円弧を一部に有する円の半径を算出する数値演算部と、前記半径に基づいて前記まつげエクステを評価する評価部と、を備え、前記数値演算部は、前記円弧を一部とする円の中心とまつげエクステ部分の各画素がなす複数の線分のうち任意の２本の線分を選択したときの円弧の中心角の最大値を前記円弧の中心角として算出し、前記円弧の長さ、前記円弧の太さを更に算出する。
【００１０】
本発明の第２の態様に係るまつげエクステ評価方法は、まつげエクステの評価を行う方法であって、画像データを取得する第１のステップと、前記画像データより前記まつげエクステの曲線データを抽出する第２のステップと、前記曲線データにより特定される曲線を円弧と仮定したときの当該円弧を一部に含む円の半径を算出すると共に、前記円弧を一部とする円の中心とまつげエクステ部分の各画素がなす複数の線分のうち任意の２本の線分を選択したときの円弧の中心角の最大値を前記円弧の中心角として算出し、前記円弧の長さ、前記円弧の太さを算出する第３のステップと、前記半径に基づいて前記まつげエクステを評価する第４のステップと、を有している。
【００１１】
本発明の第３の態様に係るプログラムは、コンピュータを、画像データを取得する画像データ取得部と、前記画像データより前記まつげエクステの曲線データを抽出する画像抽出部と、前記曲線データにより特定される曲線を円弧と仮定したときの当該円弧を一部に含む円の半径を算出する数値演算部と、前記半径に基づいて前記まつげエクステを評価する評価部として機能させ、前記数値演算部は、前記円弧を一部とする円の中心とまつげエクステ部分の各画素がなす複数の線分のうち任意の２本の線分を選択したときの円弧の中心角を前記円弧の中心角として算出し、前記円弧の長さ、前記円弧の太さを更に算出する。
【００１２】
本発明の第４の態様に係るまつげエクステ評価システムは、まつげエクステの評価を行うシステムであって、前記まつげエクステの画像を撮像する撮像部と、前記撮像部からの画像データを取得する画像データ取得部と、前記画像データより前記まつげエクステの曲線データを抽出する画像抽出部と、前記曲線データにより特定される曲線を円弧と仮定したときの当該円弧を一部に含む円の半径を算出する数値演算部と、前記半径に基づいて前記まつげエクステを評価する評価部と、を備え、前記数値演算部は、前記円弧を一部とする円の中心とまつげエクステ部分の各画素がなす複数の線分のうち任意の２本の線分を選択したときの円弧の中心角の最大値を前記円弧の中心角として算出し、前記円弧の長さ、前記円弧の太さを更に算出する。
【発明の効果】
【００１３】
本発明によれば、まつげエクステを円弧と仮定した場合の当該円弧を一部に含む円の半径を正確に測定し、当該半径に基づいてカール別にまつげエクステを適正に分類するための評価を可能とする、まつげエクステ評価装置、まつげエクステ評価方法、まつげエクステ評価システム、及びプログラムを提供することができる。
【図面の簡単な説明】
【００１４】
【図１】本発明の第１実施形態に係るまつげエクステ評価装置の構成図である。
【図２】評価ＤＢ８に記憶されている評価テーブルの一例を示す図である。
【図３】本発明の第１実施形態に係るまつげエクステ評価装置による処理手順を示すフローチャートである。
【図４】数値演算の詳細な手順を示すフローチャートである。
【図５】表示部６による表示例を示す図である。
【図６】本発明の第２実施形態に係るまつげエクステ評価装置の構成図である。
【図７】本発明の第２実施形態に係るまつげエクステ評価装置による処理手順を示すフローチャートである。
【図８】表示部による表示例を示す図である。
【図９】表示部による表示例を示す図である。
【図１０】（ａ）及び（ｂ）は、本発明の第３実施形態に係るまつげエクステ評価システムの構成図である。
【発明を実施するための形態】
【００１５】
以下、図面を参照しつつ本発明の実施形態について説明する。
【００１６】
＜第１実施形態＞
【００１７】
図１には本発明の第１実施形態に係るまつげエクステ評価装置の構成を示し説明する。
【００１８】
同図に示されるように、まつげエクステ評価装置１は、ＣＰＵ等の制御部２を備えており、制御部２は入力部３、操作部４、記憶部５、表示部６、通信部７、評価ＤＢ８と接続されている。制御部２は、記憶部５に格納されているプログラム１０を読み出し実行することで、画像データ取得部２ａ、画像抽出部２ｂ、数値演算部２ｃ、評価部２ｄ、表示制御部２ｅ、及び主制御部２ｆとして機能する。
【００１９】
入力部３は、外部機器等からの画像データ等の入力を受け付けるインタフェース（Ｉ／Ｆ）である。操作部４とは、キーボードやマウス等の各種操作部材である。記憶部５はメモリやＨＤＤ（Hard Disc Drive）等からなり、まつげエクステの評価に関わるプログラム１０が記憶されており、その実行時にはワークエリアを提供する。表示部６は、液晶ディスプレイ等の各種表示デバイスである。通信部７は、外部機器とインターネット等のネットワークを介した通信を行う通信Ｉ／Ｆである。そして、評価ＤＢ８は、まつげエクステの評価に用いるテーブルを保持する記憶手段である。
【００２０】
制御部２において、各部は以下の役割を担う。画像データ取得部２ａは、入力部３又は通信部７を介して入力された画像データを取得する。画像抽出部２ｂは、画像データよりまつげエクステの曲線データを抽出する。数値演算部２ｃは、曲線データにより特定される曲線を円弧と仮定したときの円弧のなす角度を算出する。評価部２ｄは、算出された各値の少なくともいずれかに基づいてまつげエクステを評価する。表示制御部２ｅは、評価結果等を表示部６に表示するよう制御する。そして、主制御部２ｆは、その他、統括的な制御を行う。
【００２１】
より具体的には、数値演算部２ｃは、曲線データにより特定される曲線を円弧と仮定したときの円弧の長さ、円弧の半径、円弧の太さの少なくともいずれかを更に算出する。一例を示すと、画像抽出部２ｂは、画像データからまつげエクステ部分の画素を抽出し、当該画素を２次曲線で近似することで得られた座標データを曲線データとし、数値演算部２ｃは、画素と実長との比率に基づいて、円弧の長さ、円弧を一部に含む円の半径、円弧の太さの少なくともいずれかを更に算出する。角度算出について、一例を示すと、数値演算部２ｃは、円弧を一部とする円の中心とまつげエクステ部分の各画素の線分を選択したときに円弧のなす角度の最大値を円弧のなす角度として算出する。そして、評価部２ｄは、評価ＤＢ８の評価テーブルを参照して、まつげエクステを、その円弧を一部に有する円の半径に基づいて、Ｊカール、Ｃカール、ＣＣカール、及びＤカールのいずれかに分類する。上記順番で、カールが強くなり、カールが強くなるほどまつげエクステは上を向くことになるので、華やか、派手なイメージとなる。
【００２２】
図２には、評価ＤＢ８に記憶されている評価テーブルの一例を示し説明する。同図に示されるように、この評価テーブルでは、円弧を一部に有する円の半径（Ｒ）の範囲と、それに対応するカールの名称とが対応付けられている。対応関係は、次のようになる。
・ａ１＜Ｒ≦ａ２    Ｊカール
・ａ３＜Ｒ≦ａ４    Ｃカール
・ａ５＜Ｒ≦ａ６    ＣＣカール
・ｓ７＜Ｒ≦ａ８    Ｄカール
例えば、一例を挙げると、次のように規定することができる。
・６．５＜Ｒ≦７．０    Ｊカール
・５．５＜Ｒ≦６．５    Ｃカール
・５．０＜Ｒ≦５．５    ＣＣカール
・４．５＜Ｒ≦５．０    Ｄカール
但し、これはあくまでも一例であって、これには限定されない。
【００２３】
以下、図３のフローチャートを参照して、本発明の第１実施形態に係るまつげエクステ評価装置による処理手順を詳細に説明する。この処理手順の少なくとも一部は、第１実施形態に係るまつげエクステ評価方法の一部又は全部に相当する。
【００２４】
処理を開始すると、先ず画像データ取得部２ａが、入力部３又は通信部７を介して装置に入力された画像データを取得する（Ｓ１）。例えば、外部機器であるスキャナにより撮像された画像データが入力される場合、そのデータ形式はＪＰＥＧ、ＢＭＰ、ＴＩＦＦ等の形式となるが、これに限定されるものではない。
【００２５】
続いて、画像抽出部２ｂが、画像データよりまつげエクステの曲線データを抽出する（Ｓ２）。例えば、画像抽出部２ｂは、画像データからまつげエクステ部分の画素を抽出し、当該画素を２次曲線で近似することで得られた座標データを曲線データとする。このステップＳ２の処理の詳細については、図４で後述する。
【００２６】
次いで、数値演算部２ｃは、曲線データにより特定される曲線を円の一部と仮定したときの円弧のなす角度、円弧の長さ、円弧を一部に有する円の半径、及び円弧の太さを算出する。そして、円弧の長さ、半径、太さについては、画素と実長との比率ｐにより実際の長さの単位（ｍｍ）に変換してまつげエクステの実長に置き換える（Ｓ３）。
【００２７】
例えば、数値演算部２ｃは、円弧を一部とする円の中心とまつげエクステ部分の各画素がなす複数の線分のうち任意の２本の線分を選択したときに円弧のなす角度の最大値を円弧のなす角度として算出する。そして、数値演算部２ｃは、画素と実長との比率ｐに基づいて、まつげエクステに係る円弧の長さ、半径、太さの実長を算出する。以下、各演算について、更に述べる。
【００２８】
円の半径Ｒは、エクステ画像抽出の際に、画素のデータを最小二乗法等により曲線に近似しているが、その結果に基づいて算出する。円弧の長さＬは、角度θと半径Ｒとから次の計算式により算出する。
Ｌ＝πＲθ／１８０（π：円周率、θ：度）
円弧の太さＴは、円の中心とまつげエクステ部分の各画素の距離に対する最大値と最小値の差の最大値から算出する。画素とまつげエクステの実長の比率ｐは、画像データに含まれるＤＰＩから求めることができる。
ｐ＝０．２５４／ｄ（ｄ：縦軸、横軸のＤＰＩの相加平均）
【００２９】
続いて、評価部２ｄは、数値演算結果に基づいて、評価ＤＢ８の評価テーブルを参照して、まつげエクステを評価する（Ｓ４）。例えば、評価部２ｄは、算出された半径Ｒに基づいて、評価テーブルを参照し、対応するカールの種別（例えば、Ｊカール、Ｃカール、ＣＣカール、及びＤカールのいずれか）に分類する。
【００３０】
そして、数値演算結果や評価結果を出力する（Ｓ５）。このとき、主制御部２ｆは、数値演算結果や評価結果を評価ＤＢ８に格納する。また、表示制御部２ｅは、表示部６に数値演算結果や評価結果を表示することもできる。こうして、まつげエクステ評価に関わる一連の処理を終了する。
【００３１】
ここで、図４には、図３のステップＳ２で実行されるエクステ画像抽出処理の詳細な手順を示し説明する。
【００３２】
ここでは、対象画像としてＲＧＢ画像データが取得され、対象画像上でのまつげエクステの座標データ（２次元座標の点列）を抽出する。
【００３３】
この処理に入ると、平滑化処理を行う（Ｓ１１）。つまり、平滑化により、意図しない汚れや物体などの、画像に存在する雑音（ノイズ）を除去する。続いて、鮮鋭化処理を行う（Ｓ１２）。つまり、鮮鋭化により、画像のぼやけてしまっている部分が鮮明に表現できるように、画像色を加工する。尚、画像出力するデバイスとしてスキャナを用いる場合等、対象画像の品質が十分に保たれている場合には、ステップＳ１１，Ｓ１２の処理は省略することができる。
【００３４】
続いて、グレースケール変換処理を行う（Ｓ１３）。つまり、３チャンネル（３次元）のＲＧＢで表現されている対象画像を１チャンネルのグレースケール画像（白黒画像）に変換する。次いで、２値化処理を行う（Ｓ１４）。２値化は、１チャンネル０〜２５５の値で表現されているグレースケール画像の各画素の値を、２つの値に限定する。例えば、０〜２５５の値のうち一の値を閾値として選び、当該閾値以上の画素と閾値未満の画素とで分離する所謂閾値型の２値化も採用できる。この２値化処理により、グレースケール画像からまつげエクステ部分と、それ以外とに分離することができる。
【００３５】
続いて、曲線近似処理を行う（Ｓ１５）。ここでは、２値化画像から、まつげエクステの部分の画素のデータを検出し、検出された画素のデータを２次元座標の点列とみなし、画素群がなす曲線を表す数式に近似する。
【００３６】
この曲線近似処理は、更に以下の手順からなる。先ず、２値化画像上にまつげエクステが複数あることを前提とし、各まつげエクステ部分を検出する。続いて、検出されたまつげエクステ部分ごとに、例えば最小二乗法を用いて、円の方程式への近似を行う。これにより、まつげエクステを円弧と仮定した場合の円の中心座標を求めることができる。そして、極座標系式を用いて円の中心と各座標の距離をある角度ごとに平均することで、画素の集約を行う。以上の処理の後、図３のステップＳ２にリターンする。
【００３７】
図５には、上記数値演算により算出された結果の表示例を示し説明する。同図に示されるように画面１００の領域１０１には、対象画像が示されており、その画像の中にまつげエクステ部分を強調して示し、更に円弧と仮定した場合の円の様子も示される。領域１０２には、一覧表形式で、算出されたまつげエクステの角度、長さ、半径、及び太さが実長に置き換えられて示される。評価部２ｄによる評価を領域１０２に合わせて表示するようにしてもよいことは勿論である。
【００３８】
以上説明したように、本発明の第１実施形態によれば、まつげエクステを円弧と仮定した場合の当該円弧を一部に有する円の半径Ｒに基づいて、まつげエクステのカールを適正に分類することが可能となる。さらに、算出されたまつげエクステの角度θ、長さＬ、半径Ｒ、及び太さＴが実長に置き換えられて示されるので、上記カールと併せて、まつげエクステを適正に評価し、分類することができる。
【００３９】
＜第２実施形態＞
【００４０】
図６には、本発明の第２実施形態に係るまつげエクステ評価装置の構成を示し説明する。ここでは、図１と同一構成については、同一符号を付し、重複した説明は省略し、異なる部分を中心に説明を進める。
【００４１】
このまつげエクステ評価装置２０は、制御部２が、記憶部５のプログラム１１を読み出し実行することで、更に適合度判定部２ｇとしても機能する。この適合度判定部２ｇは各部２ａから２ｅにより算出された、まつげエクステの角度θ、長さＬ、半径Ｒ、及び太さＴに基づいて、まつげエクステと顧客の条件との適合度を判定するものである。まつげエクステ評価装置２０は、更に顧客情報ＤＢ９を備えており、顧客の条件は当該顧客情報ＤＢ９にテーブル形式で格納されている。顧客のまつげエクステに係る条件は、例えば表示部６に表示された入力画面にて、操作部４を操作して情報を入力することで、主制御部２ｆが確定し、当該確定した情報を顧客ＤＢ９に適宜格納する。
【００４２】
以下、図７のフローチャートを参照して、本発明の第２実施形態に係るまつげエクステ評価装置による処理手順を詳細に説明する。この処理手順の少なくとも一部は、第２実施形態に係るまつげエクステ評価方法の一部又は全部に相当する。
【００４３】
ステップＳ２１〜Ｓ２５までは図２のステップＳ１〜Ｓ４と同一であるので、ここでは重複した説明は省略する。
【００４４】
ステップＳ２６では、適合度判定部２ｇは、適合度判定処理を行う。より詳細には、評価ＤＢ８より演算結果である各種数値を読み出し、顧客情報ＤＢ９より顧客情報を読み出し、例えば長さ、太さ、及び印象について、顧客の条件と、各まつげエクステの数値との適合度を判定する。尚、印象については、自然な印象から派手な印象になるにつれて、Ｊカール、Ｃカール、ＣＣカール、及びＤカールの順に適合するものとしている。但しこれには限定されない。こうして、判定した結果を出力する（Ｓ２７）。ここでは、例えば表示制御部２ｅの制御の下で表示部６に判定結果を表示する。このとき、数値演算結果や表結果を併せて、或は別画面で表示可能としてもよい。こうして、処理を終了する。
【００４５】
図８及び図９には、表示部６による表示例を示し説明する。
【００４６】
図８は、表示部６に表示される顧客条件設定画面２００の表示を示している。同図に示されるように、顧客ＩＤが表示され、その下の領域で「長さ」を「短い」から「長い」まで５段階で選択できるようになっており、「太さ」を「細い」から「太い」まで５段階で選択できるようになっており、「印象」を「自然」から「派手」まで５段階で選択できるようになっている。
【００４７】
図９は、表示部６に表示される適合度判定結果画面２０１の表示例を示している。同図に示されるように、顧客ＩＤが表示され、その下の領域に、まつげエクステの製品名と長さ、太さ、印象のそれぞれのレベルと、適合度を、適合度の高いものから順に一覧表形式で表示する。従って、顧客、あるいはエステサロンでは、この一覧表の中から顧客の条件に適合したまつげエクステを簡易且つ迅速に選ぶことが可能となる。
【００４８】
以上説明したように、本発明の第２実施形態によれば、まつげエクステの角度θ、長さＬ、半径Ｒ、及び太さＴに基づいて、まつげエクステと顧客の条件との適合度を判定して最適な製品を紹介することができる。
【００４９】
＜第３実施形態＞
【００５０】
図１０（ａ）及び図１０（ｂ）には、本発明の第３実施形態に係るまつげエクステ評価システムの構成を示し説明する。
【００５１】
第３実施形態は、第１実施形態に係るまつげエクステ評価装置１を用いたまつげエクステ評価システムであり、入力側のデバイスを限定している点に特徴がある。
【００５２】
図１０（ａ）の構成では、まつげエクステ評価装置１が、撮像手段としてのカメラ３０と接続されており、カメラ３０からまつげエクステ評価装置１に画像データが出力されることになる。カメラ３０は、ベルトコンベア３１で搬送される製造工程で、製造されたまつげエクステを所定の撮像範囲で撮像し、画像データを出力する。画像データを受けたまつげエクステ評価装置１側の処理は、第１実施形態で前述した通りである。尚、まつげエクステ評価装置２０も、同様に採用できる。
【００５３】
図１０（ｂ）の構成では、まつげエクステ評価装置１が、撮像手段としてのスキャナ４０と接続されており、スキャナ４０からまつげエクステ評価装置１に画像データが出力されることになる。スキャナ４０は、複数のまつげエクステが貼り付けされた用紙４１をスキャンし、画像データを出力する。画像データを受けたまつげエクステ評価装置１側の処理は、第１実施形態で前述した通りである。尚、まつげエクステ評価装置２０も、同様に採用できる。
【００５４】
以上説明したように、本発明の第３実施形態によれば、製造工場における製造過程で製造されたまつげエクステを撮像し、その評価を適正に行うことができる。あるいは、製造された製品をサンプリングして、所定の用紙に貼り付けて、当該用紙をスキャンすることで、その評価を適正に行うことができる。
【００５５】
以上、本発明の第１乃至第３実施形態について説明したが、本発明はこれに限定されることなく、その趣旨を逸脱しない範囲で種々の改良・変更が可能である。
【００５６】
例えば、グレースケール変換処理に至る前に、ＲＧＢの情報からまつげエクステの色の情報も取得し、併せて出力するようにしてもよい。
【符号の説明】
【００５７】
１  まつげエクステ評価装置
２  制御部
２ａ  画像データ取得部
２ｂ  画像抽出部
２ｃ  数値演算部
２ｄ  評価部
２ｅ  表示制御部
２ｆ  主制御部
２ｇ  適合度判定部
３  入力部
４  操作部
５  記憶部
６  表示部
７  通信部
８  評価ＤＢ
９  顧客情報ＤＢ
１０  プログラム
１１  プログラム
２０  まつげエクステ評価装置
３０  カメラ
４０  スキャナ
【要約】      （修正有）【課題】まつげエクステを円弧と仮定した場合の当該円弧を一部に含む円の半径を正確に測定することで、当該半径に基づいてカール別にまつげエクステを適正に分類するための評価を可能とする。【解決手段】本発明は、まつげエクステの評価を行う装置であって、画像データを取得する画像データ取得部２ａと、画像データよりまつげエクステの曲線データを抽出する画像抽出部２ｂと、曲線データにより特定される曲線を円弧と仮定したときの当該円弧を一部に含む円の半径を算出する数値演算部２ｃと、前記半径に基づいてまつげエクステを評価する評価部２ｄとを備えている。評価とは、まつげエクステを、前記半径に基づいて、分類することである。【選択図】図１【図１】
0005925947.tif 000002
【図２】
0005925947.tif 000003
【図３】
0005925947.tif 000004
【図４】
0005925947.tif 000005
【図５】
0005925947.tif 000006
【図６】
0005925947.tif 000007
【図７】
0005925947.tif 000008
【図８】
0005925947.tif 000009
【図９】
0005925947.tif 000010
【図１０】
0005925947.tif 000011